(57)【要約】【課題】軽量であるにもかかわらず高強度であり、施工容易なデッキの下地構造及びその下地構造を利用したデッキ構造を提供する。【解決手段】デッキを形成する下地構造１は、根太材２と、根太材２に載置され、側面視において山谷３１，３２が形成された波型プレート３と、波型プレート３の谷部３２の少なくとも一部に嵌入され、天面４１が波型プレート３の山部３１と実質的に同一平面を構成するバー材４と、を備えることを特徴とする。【選択図】図１
2017222999.tif 000002
【特許請求の範囲】
【請求項１】
デッキを形成する下地構造であって、
根太材と、
前記根太材に載置され、側面視において山谷が形成された波型プレートと、
前記波型プレートの谷部の少なくとも一部に嵌入され、天面が前記波型プレートの山部と実質的に同一平面を構成するバー材と、を備えることを特徴とする下地構造。
【請求項２】
前記波型プレートがキーストンプレートから構成されることを特徴とする請求項１に記載の下地構造。
【請求項３】
前記バー材が略Ｃ字状の断面を有することを特徴とする請求項１又は２に記載の下地構造。
【請求項４】
前記バー材が、側面視において、逆台形状に嵌入されることを特徴とする請求項１から３のいずれか１項に記載の下地構造。
【請求項５】
デッキ構造であって、
デッキを形成する下地構造と、
前記下地構造に載置される床材と、を備え、
前記下地構造が、
根太材と、
前記根太材に載置され、前記根太材と交差する方向に山谷が延在する波型プレートと、
前記波型プレートの谷部の少なくとも一部に嵌入され、天面が前記波型プレートの山部と実質的に同一平面を構成するバー材と、を備えることを特徴とするデッキ構造。
【請求項６】
前記床材が人工芝マットであることを特徴とする請求項５に記載のデッキ構造。
【請求項７】
前記床材が、前記バー材と交差する方向にビート状に塗布された接着剤によって、ビスを含む固定金具によって、又はそれらを併用することによって、前記波型プレート及び前記バー材に固定されることを特徴とする請求項５又は６に記載のデッキ構造。
【発明の詳細な説明】
【技術分野】
【０００１】
本発明は、デッキの下地構造及びそれを用いたデッキ構造に関する。
【背景技術】
【０００２】
従来、デッキとしては、家庭用のデッキや、公共の広場や通路として利用されているデッキなど、多くの態様のものが設置されている。そして、デッキを形成する下地構造についても、種々のものが提案されている（例えば、特許文献１参照）。
【０００３】
特許文献１には、施工及び維持管理作業が容易で、工期の短縮を図ることのできる、防水性及び耐火性能を備えたバルコニーデッキを提供するとともに、仕上材には温かみのある木質系デッキ材を使用することのできるバルコニーデッキを提供することを目的として、床面上に設けた防水層の上に、不燃性材料からなる複数本の根太が並設され、これら根太間に、防水層を覆うように不燃板が介装されるとともに、根太上にデッキ材が敷設されたことを特徴とするバルコニーデッキを開示している。
【０００４】
しかしながら、特許文献１において開示されているバルコニーデッキでは、不燃版として鉄板が介装されており、その重量が大きいとともに、鉄板を根太に取り付けるにあたって施工の困難性を有するという問題がある。
【先行技術文献】
【特許文献】
【０００５】
【特許文献１】特開２００２−２２７２９１号公報
【発明の概要】
【発明が解決しようとする課題】
【０００６】
本発明は、上述の課題に鑑みてなされたものであり、軽量であるにもかかわらず高強度であり、施工容易なデッキの下地構造及びその下地構造を利用したデッキ構造を提供することを目的とする。
【課題を解決するための手段】
【０００７】
本発明は、上記目的を達成するために、以下の構成によって把握される。
（１）本発明の第１の観点は、デッキを形成する下地構造であって、根太材と、前記根太材に載置され、側面視において山谷が形成された波型プレートと、前記波型プレートの谷部の少なくとも一部に嵌入され、天面が前記波型プレートの山部と実質的に同一平面を構成するバー材と、を備えることを特徴とする。
【０００８】
（２）上記（１）の構成において、前記波型プレートがキーストンプレートから構成される。
【０００９】
（３）上記（１）又は（２）の構成において、前記バー材が略Ｃ字状の断面を有する。
【００１０】
（４）上記（１）から（３）のいずれか１つの構成において、前記バー材が、側面視において、逆台形状に嵌入される。
【００１１】
（５）本発明の第２の観点は、デッキ構造であって、デッキを形成する下地構造と、前記下地構造に載置される床材と、を備え、前記下地構造が、根太材と、前記根太材に載置され、前記根太材と交差する方向に山谷が延在する波型プレートと、前記波型プレートの谷部の少なくとも一部に嵌入され、天面が前記波型プレートの山部と実質的に同一平面を構成するバー材と、を備えることを特徴とする。
【００１２】
（６）上記（５）の構成において、前記床材が人工芝マットである。
【００１３】
（７）上記（５）又は（６）の構成において、前記床材が、前記バー材と交差する方向にビート状に塗布された接着剤によって、ビスを含む固定金具によって、又はそれらを併用することによって、前記波型プレート及び前記バー材に固定される。
【発明の効果】
【００１４】
本発明によれば、軽量であるにもかかわらず高強度であり、施工容易なデッキの下地構造及びその下地構造を利用したデッキ構造を提供することができる。
【図面の簡単な説明】
【００１５】
【図１】本発明の実施形態に係るデッキの下地構造を示す斜視図である。
【図２】デッキの下地構造のうちバー材の断面を示す図である。
【図３】本発明の実施形態に係るデッキの下地構造の変形例を示す斜視図である。
【図４】本発明の実施形態に係るデッキ構造を示す斜視図である。
【発明を実施するための形態】
【００１６】
（第１実施形態）
以下、添付図面を参照して、本発明の第１実施形態に係るデッキの下地構造１について詳細に説明するが、各図において、同一符号は同一又は対応する部分を示す。また、本発明は、以下の説明からも明らかなようにこれらの実施形態に限定されるものではなく、発明の要旨の範囲内において当業者であれば種々の変形が可能である。
【００１７】
＜下地構造１の全体構成＞
まず、本発明の実施形態に係るデッキを形成する下地構造１の一例を全体的に説明する。デッキの下地構造１は、図１に示すように、設置場所に載置された根太材２と、根太材２に交差する方向に山谷が延在する波型プレート３と、波型プレート３の谷部３２の少なくとも一部に嵌入されたバー材４とを備えている。バー材４は、その天面４１が波型プレート３の山部３１と実質的に同一平面を構成している。以下、各別に説明する。
【００１８】
＜根太材２＞
根太材２は、ここでは図１に示すように、ハット型の断面を有する鋼製の根太鋼を示している。根太材２は、天面２１と、天面２１の両側から垂下する左右側部２２ａ，２２ｂと、左右側部２２ａ，２２ｂから水平方向に外側に延在する左右延部２３ａ，２３ｂとから構成されている。天面２１には、後述するように、波型プレート３が載置される。左右延部２３ａ，２３ｂは下地構造１を設置個所に配置する際の足場となるが、後述するように、支持脚５（図３参照）を設ける場合の取付部を兼ねる。
【００１９】
なお、ここでは、断面がハット型の根太鋼を例として挙げているが、必ずしもハット型のものに限られることはない。例えば、ロ字状の断面を有するものであってもよい。
【００２０】
＜波型プレート３＞
波型プレート３は、デッキの表面の一部を構成する部材である。波型プレート３は、山部３１と谷部３２とを繰り返す断面を有しており、図１では、根太材２と交差する長手方向に山谷３１，３２が延在するように配置された例を示している。波型プレート３の谷部３２の底面３２ａは、根太材２の天面２１に載置される。波型プレート３は根太材２に接着剤又はビスなどで固定されるが、部品点数の減少、施工容易性などの観点から、接着剤を用いて固定することが好適である。接着材による固定については、第２実施形態の中で後述する。
【００２１】
波型プレート３は、前述のとおり、側面視において山部３１と谷部３２とを繰り返す断面を有しており、山部３１の天面３１ａの上には人工芝マット７などを載置することができる。載置する場合には、人工芝マット７は、山部３１の天面３１ａに接着剤又はビスなどで固定されるが、部品点数の減少、施工容易性などの観点から、接着剤を用いて固定することが好適である。接着材による固定については、第２実施形態の中で後述する。
【００２２】
なお、図１では、波型プレート３が根太材２と交差する方向に山谷３１，３２が延材するように配置された例を示しているが、根太材２に対する波型プレート３の配置位置や配置スペースなどを考慮して、根太材２と平行する長手方向に山谷３１，３２が延在するようにして配置されてもよい。
【００２３】
波型プレート３としては、キーストンプレートを好適に用いることができる。キーストンプレートは、荷重に対する強度を増すために断面を山谷を繰り返す波型に加工した亜鉛メッキ鋼板である。キーストンプレートは、従来、コンクリート枠や床板などに用いられているが、本実施形態では、デッキの下地構造１に採用し、人工芝マット７を取り付け可能な部材として採用するものである。キーストンプレートは、連続する山谷３１，３２によって構成されることにより、軽量であるにもかかわらず下地構造１を高強度化することができる。
【００２４】
図１では、波型プレート３の形状として、図示されている天地方向からみて、山部３１の数が７つ、谷部３２の数が６つ、両端の山部３１の縁部３３が２つのキーストンプレートを示しているが、山部３１及び谷部３２の数は、これらに限られるものではない。
【００２５】
また、波型プレート３の寸法としては、一般的な寸法のキーストンプレート、例えば、図２に示すように、山高ｈが２５ｍｍ、山部３１の天面３１ａの幅ｗ１が４０ｍｍ、裾幅ｗ２が５０ｍｍのものとしてよい。その他の寸法についても、一方の縁部３３から他方の縁部３３までの働き幅が６５０ｍｍ、厚みが０．８ｍｍのものを用いることができるが、いずれにしても、波型プレート３の寸法は、これらに限られるものではない。下地構造１に求められる強度などの観点からこれらとは異なる寸法のものを用いてもよい。
【００２６】
＜バー材４＞
図１に戻り、バー材４は、波型プレート３の谷部３２の少なくとも一部に嵌入される。ここでは、いずれのバー材４ともに、波型プレート３の図中左側の端部から右方向に七分程度のところまで谷部３２に嵌入されている例を示している。バー材４を谷部３２に嵌入する区間は、一般的には谷部３２の全区間であるが、デッキの輪郭の形状などに応じて、適宜、調節しても差し支えない。
【００２７】
バー材４の断面を、波型プレート３の断面とともに図２に示す。図２に示すように、波型プレート３は、なだらかな末広がりの山部３１と、それに対応してなだらかな尻すぼまりの谷部３２とから構成されており、バー材４は、尻すぼまりの谷部３２に対応するように、側面視において逆台形状に谷部３２に嵌入されている。バー材４の天面４１の上には、人工芝マット７などを載置することができる。
【００２８】
バー材４は下方が開放されている略Ｃ字状の断面を有しており、より具体的には、天面４１と、天面４１の両側から内側に向かって垂下する左右側部４２ａ，４２ｂと、左右側部４２ａ，４２ｂから水平方向に内側に延在する左右延部４３ａ，４３ｂとから構成されている。図２では、図の見やすさを考慮して、波型プレート３とバー材４の間に隙間を設けて図示しているが、実際は、前者の外面と後者の外面がほぼ当接するように嵌入される。バー材４の左右延部４３ａ，４３ｂが連続していないことから、嵌入時には両者の間が狭まって融通性があるとともに、嵌入後には両者の間が広がる方向に復元して波型プレート３との嵌合性を確保することができる。
【００２９】
バー材４の具体的な寸法取りは波型プレート３との対応で決まるが、谷部３２に嵌入した際に、バー材４の天面４１が波型プレート３の山部３１の天面３１ａと実質的に同一平面を構成するように決定される。ちなみに、前述した波型プレート３の山部３１の寸法に対応させた場合、バー材４は、山高は山部３１の山高ｈに対応して２３．５ｍｍ、天面４１の幅は山部３１の裾幅ｗ２に対応して４８．５ｍｍ、裾幅は山部３１の天面３１ａの幅ｗ１に対応して３８．５ｍｍとすることができる。なお、バー材４の厚みは、波型プレート３と同じく０．８ｍｍとすることができる。
【００３０】
＜強度＞
本実施形態に係る下地構造１は、載荷試験の結果、載荷荷重として３０００Ｎ／ｍ２が得られている。これは、学校又は百貨店の用途に供する建物における床設計用の積載荷重２９００Ｎ／ｍ２を上回るものであり、軽量化とともに高強度化を図ることができている。
【００３１】
＜変形例＞
第１実施形態の変形例について、図３を用いて説明する。第１実施形態では、根太材２を設置個所に直接置いた場合を想定して説明したが、設置場所の状況や求められるデッキの高さに対応するため、根太材２の下方に支持脚５を設けてもよい。支持脚５は、デッキを所望の高さとするほかにも、設置場所の凹凸に対応したり、設置場所が傾斜地などの場合に根太材２を水平方向に維持したりするなどの役割を果たすものである。
【００３２】
図３では、根太材２の左右延部２３ａ，２３ｂを取付部として支持脚５を付加した例を示しているが、このほかにも、根太材２の下方にそれと交差する方向すなわち波型プレート３の山谷３１，３２の延材する方向に大引材（不図示）を設け、大引材を取付部として支持脚５を取り付けてもよい。
【００３３】
（第２実施形態）
次に、図４を参照して、本発明の第２実施形態に係るデッキ構造１１について説明するが、第１実施形態と共通する要素については同一符号を付すとともに、共通する説明は省略する。
【００３４】
デッキ構造１１は、図４に示すように、第１実施形態で説明した根太材２、波型プレート３、バー材４に加え、波型プレート３を囲う枠体６と、床材としての人工芝マット７とが付加されている。
【００３５】
枠体６は、波型プレート３の長手方向及び短手方向の両辺を囲っており、所望のデッキの輪郭を与えるものである。枠体６は、例えば、縦方向に略Ｃ字状の断面を有するバー材を用いることができる。
【００３６】
人工芝マット７は、公知のものであれば特に限定されないが、例えば、次のようなものを採用することができる。例えば、一態様としては、人工芝がポリエチレンを糸素材とする直毛及び縮毛から構成され、マット部がＰＰ（ポリプロポレン）平織とＰＰ平織Ｐｅｔ（ポリエチレンテレフタレート）線付きの２層構造から構成されるものでもよい。また、他の態様としては、人工芝がポリエチレンを糸素材とする直毛及びポリプロピレンを糸素材とする縮毛から構成され、マット部がＰＰ平織とＰＰ平織Ｐｅｔ線付きとメッシュの３層構造から構成されるものでもよい。
【００３７】
人工芝マット７は、前述のとおり、波型プレート３の山部３１の天面３１ａ及びバー材４の天面４１に載置される。その固定は、接着剤又はビスを含む固定金具を使用して、もしくはそれらを併用することによって行ってもよいが、デッキ構造１１の完成後の安全性などの観点からは、接着剤８によって接着することが好ましい。本実施形態では、波型プレート３及びバー材４と人工芝マット７の固定、波型プレート３と根太材２との固定の双方について、接着剤８によって接着している。
【００３８】
人工芝マット７のマット部の裏面は、例えばＳＢＲ（スチレンブタジエンラバー）コーティングなどのゴム加工がされていると、接着剤８を用いるためには好ましい。接着剤８の種類は特に限定されないが、ポリウレタン系のものが各要素を良好に接着するうえで好適である。
【００３９】
接着剤８はビート状に塗布され、図４に示すように、根太材２上に塗布した接着剤８によって波型プレート３の左右延部２３ａ，２３ｂが接着されるとともに、波型プレート３の山部３１の天面３１ａとバー材４の天面４１にわたって根太材２の方向に塗布した接着剤８によって人工芝マット７が接着される。
【００４０】
なお、上記のデッキ構造１１においては、波型プレート３とバー材４により構成される平面の上に床材として人工芝マット７を載置した例を記載したが、平面上に載置する床材は人工芝マット７には限らず、全ての床材、例えば、人工木樹脂デッキ材、タイル材、マット材等を載置することができる。これら床材を使用した場合も、人工芝マット７と同様の方法で固定することによりデッキ構造１１を構成することができる。
【００４１】
また、デッキ構造１１においても、第１実施形態と同様に、根太材２の下方に（又は、根太材２の下方に大引材を設けたうえで、その下方に）支持脚５を設けてもよいことはもちろんである。
【００４２】
更に、波型プレート３とバー材４により構成される平面において、異なる２種類の床材を組み合わせて載置すること、例えば、床材として人工芝マット７と人工木樹脂デッキ材を使用し、それらが形成する床面が同一平面となるように高さを調整して載置することにより、人工芝と人工木樹脂デッキ材を自由にレイアウトすることができる高強度のデッキ構造１１を提供することができる。
【００４３】
また、根太材２の上には人工木樹脂デッキ材等の床材を交差して直接的に載置することができるため、根太材２の上に人工木樹脂デッキ材等を交差して載置するエリアと、根太材２の上に波型プレート３とバー材４を載置することにより平面を形成し、その上に人工芝マット７を載置するエリアとから構成することによって、人工芝とデッキ材が自由にレイアウト可能なデッキ構造１１を容易に提供することもできる。
【００４４】
（実施形態の効果）
本実施形態は、下地構造１を、波型プレート３と、波型プレート３の谷部３２の少なくとも一部に嵌入されたバー材４とから構成したことから、軽量であるにもかかわらず高強度であり、施工容易なデッキの下地構造１及びその下地構造１を利用したデッキ構造１１を提供することができる。
【００４５】
以上、実施形態について説明したが、本発明は、具体的な実施形態に限定されるものではなく、種々の変更を行ったものも含まれるものであり、そのことは、当業者にとって特許請求の範囲の記載から明らかである。
【符号の説明】
【００４６】
１…デッキの下地構造
１１…デッキ構造
２…根太材
２１…天面
３…波型プレート
３１…山部
３１ａ…天面
３２…谷部
３２ａ…底面
４…バー材
４１…天面
５…支持脚
６…枠体
７…人工芝マット
８…接着剤
【図１】
2017222999.tif 000003
【図２】
2017222999.tif 000004
【図３】
2017222999.tif 000005
【図４】
2017222999.tif 000006